(57)【要約】【課題】従来スポット溶接に関する各帳票の承認者は、最初の溶接指示図との整合性を容易には確認することができない課題、転記時にミスに気がついたとき、その連絡に抜けや、漏れが発生させないよう多大な工数を掛けていた課題があった。【解決手段】設計溶接指示データの全てのスポット溶接打点に不変通し番号を付与し各々のスポット溶接打点毎に溶接する条件等を入力して作成された打点マップに基づいて行うスポット溶接の帳票管理において、打点マップに基づいて必要な各帳票を作成し、各帳票のそれぞれを直接打点マップと照合することで整合性を確認し、作成された全ての帳票が打点マップとの整合性があることを確認した後承認する承認機能を有し、承認機能により承認された全ての帳票は、パソコン上で担当者が閲覧できるように自動的に公開される公開機能を有するスポット溶接に関する帳票管理システムによる。【選択図】図１
2010128946.tif 000002
【特許請求の範囲】
【請求項１】
１車体当たりのスポット溶接打点の設計溶接指示データを打点マップ作成用のパソコンに入力し、その設計溶接指示データの全てのスポット溶接打点の場所に不変通し番号を付与するとともに、その不変通し番号を付与された各々のスポット溶接打点毎に溶接する部品の品名、板厚、溶接を行う場所等を入力して作成された打点マップに基づいて行うスポット溶接の帳票管理において、
作成された打点マップに基づいて、必要な各帳票を作成し、
作成された各帳票のそれぞれを直接打点マップと照合することで整合性を確認するとともに、作成された全ての帳票が打点マップとの整合性があることを確認した後承認する承認機能を有し、
承認機能により承認された全ての帳票は、決められたパソコン上で担当者が閲覧できるように自動的に公開される公開機能を有することを特徴とするスポット溶接に関する帳票管理システム。
【請求項２】
１車体当たりのスポット溶接打点の設計溶接指示データを打点マップ作成用のパソコンに入力し、その設計溶接指示データの全てのスポット溶接打点の場所に不変通し番号を付与するとともに、その不変通し番号を付与された各々のスポット溶接打点毎に溶接する部品の品名、板厚、溶接を行う場所等を入力して作成された打点マップに基づいて行うスポット溶接の帳票管理において、
作成された打点マップに基づいて、工作図の帳票と、溶接条件表・タガネチェック部位指示図の帳票と、タガネチェックシートの帳票の各帳票を作成するとともに、
作成された工作図と、溶接条件表・タガネチェック部位指示図と、タガネチェックシートとの各帳票のそれぞれを直接打点マップと照合することで各帳票の整合性を確認するとともに、作成された全ての帳票が打点マップとの整合性があることを確認した後承認する承認機能を有し、
承認機能により承認された全ての帳票は、決められたパソコン上で担当者が閲覧できるように自動的に公開される公開機能を有することを特徴とするスポット溶接に関する帳票管理システム。
【発明の詳細な説明】
【技術分野】
【０００１】
この発明は、自動車製造工程において車体へのスポット溶接の打点マップを指示する帳票を一括管理するスポット溶接に関する帳票管理システムに関する。
【背景技術】
【０００２】
従来、自動車の製造工場等において車体組立現場ではスポット溶接の品質管理のために、ボデー設計を行う部Ａにおいてスポット溶接を行う溶接部位の場所を決め工程配分検討マップＢ１において、各々のスポット溶接場所毎に溶接する部品の品名や材質、板厚、溶接を行う工場の場所等の様々な要件を付加してマップを作成する。
【０００３】
図２のフローチャートに示すように最初にボデー設計部Ａで１車体当たり約３５００点のスポット溶接打点を指示する溶接指示図Ａ１をＣＡＤ等で作成する。次にボデー生技室Ｂにおいて溶接指示図Ａ１のＣＡＤデータの内容を出力して工程配分検討マップＢ１という紙に転記する。次に転記された工程配分検討マップＢ１の内容を約３７０枚の工作図である帳票Ｂ２に転記する。更にその工作図Ｂ２の内容を約２８０枚も溶接条件表・タガネチェック部位指示図の帳票Ｂ３に転記する。更に車体部Ｃにおいて溶接条件表・タガネチェック部位指示図Ｂ３の内容を約２４枚のタガネチェックシートの帳票Ｃ１に転記するという作業が行われていた。
【０００４】
そして、１車体の組立のため、これらのスポット溶接に関して作成される全ての帳票Ｂ２、Ｂ３及びＣ１の総枚数は約６８０枚となる。このように１車体当たり約３５００点のスポット溶接打点を指示する溶接指示図Ａ１を一度工程配分検討マップＢ１に転記し、それを直列的に順次各担当者が転記を繰り返してスポット溶接の帳票は作成され、管理されていた。
【０００５】
直列的に順次各担当者が転記を繰り返して作成されるスポット溶接の各帳票は、その転記毎に承認者によって承認が行われていた。
【発明の開示】
【発明が解決しようとする課題】
【０００６】
しかし、従来のように溶接指示図Ａ１を一度工程配分検討マップＢ１に転記し、それを直列的に順次各担当者が転記を繰り返して作成されるスポット溶接の帳票は、転記の繰り返しの中で転記ミスを発生する可能性が高いとともに、各帳票Ｂ２、Ｂ３及びＣ１の承認者は、転記ミスの有無確認の為、整合性の確認に多大な工数を掛けていた。
【０００７】
また、各帳票Ｂ２、Ｂ３、Ｃ１の作成中に転記作成者がミスに気がついて修正する場合、関連する帳票や関連する担当者間における連絡に抜けや、漏れが発生する可能性があり、漏れが発生しないように多大な工数を掛けていた。
【０００８】
更に、車体組立の工程変更や設計変更が行われた場合、その工程変更や設計変更に起因して起こりうる他の帳票の変更（例えば、どの帳票が、何枚くらい変更が必要か）が判りにくい課題があった。
【課題を解決するための手段】
【０００９】
上記課題を解決するために、１車体当たりのスポット溶接打点の設計溶接指示データを打点マップ作成用のパソコンに入力し、その設計溶接指示データの全てのスポット溶接打点の場所に不変通し番号を付与するとともに、その不変通し番号を付与された各々のスポット溶接打点毎に溶接する部品の品名、板厚、溶接を行う場所等を入力して作成された打点マップに基づいて行うスポット溶接の帳票管理において、
作成された打点マップに基づいて、必要な各帳票を作成し、
作成された各帳票のそれぞれを直接打点マップと照合することで整合性を確認するとともに、作成された全ての帳票が打点マップとの整合性があることを確認した後承認する承認機能を有し、
承認機能により承認された全ての帳票は、決められたパソコン上で担当者が閲覧できるように自動的に公開される公開機能を有することを特徴とするスポット溶接に関する帳票管理システムを提案する。
【００１０】
また、１車体当たりのスポット溶接打点の設計溶接指示データを打点マップ作成用のパソコンに入力し、その設計溶接指示データの全てのスポット溶接打点の場所に不変通し番号を付与するとともに、その不変通し番号を付与された各々のスポット溶接打点毎に溶接する部品の品名、板厚、溶接を行う場所等を入力して作成された打点マップに基づいて行うスポット溶接の帳票管理において、
作成された打点マップに基づいて、工作図の帳票と、溶接条件表・タガネチェック部位指示図の帳票と、タガネチェックシートの帳票の各帳票を作成するとともに、
作成された工作図と、溶接条件表・タガネチェック部位指示図と、タガネチェックシートとの各帳票のそれぞれを直接打点マップと照合することで各帳票の整合性を確認するとともに、作成された全ての帳票が打点マップとの整合性があることを確認した後承認する承認機能を有し、
承認機能により承認された全ての帳票は、決められたパソコン上で担当者が閲覧できるように自動的に公開される公開機能を有することを特徴とするスポット溶接に関する帳票管理システムを提案する。
【発明の効果】
【００１１】
この発明によれば、ボデー設計部において作成された溶接指示図に示される１車体当たり約３５００点のスポット溶接打点情報を、抜け、漏れなく全ての帳票に正確に記載することができ、約６８０枚分の全帳票を一括管理することが出来るようになった。したがって各々の帳票の承認を当初に作成される溶接指示図との間で整合することができるようになり、且つ管理工数の大幅な削減ができた。
【００１２】
したがって、ボデーへのスポット溶接の品質が向上するとともに、帳票管理が容易になり、また自動公開されることにより、後工程の担当者が前任者の帳票をいつでも確実に見て理解することができるようになった。
【発明を実施するための最良の形態】
【００１３】
この発明の実施形態であるスポット溶接に関する帳票管理システムのフローチャートである図１に基づいて説明する。
【００１４】
この発明の実施形態であるスポット溶接に関する帳票管理システムは、ボデー設計部においてＣＡＤ等によって設計された１車体当たりのスポット溶接打点の設計溶接指示データ１を打点マップ作成用パソコンに入力する。次に、打点マップ作成用パソコンに入力された設計溶接指示データ１に記載されている全てのスポット溶接打点の場所に不変通し番号を付与する。
【００１５】
不変通し番号は、後工程として打点マップ２から引き継がれ、作成される帳票において最終工程まで変化しない通し番号である。
【００１６】
更に、打点マップ作成用パソコンに入力された設計溶接指示データ１に記載されている全てのスポット溶接打点の各々の場所毎に、溶接する部品の品名、材質、板厚は、自動的に入力され、打点マップ２を作成する。この設計情報が自動入力された打点マップ２に担当者は、生産工程情報や設備条件等の生産情報を書き込み、設計情報と製造情報が紐付けされた打点マップ２が作成される。
【００１７】
作成された打点マップ２に基づいて、工作図の帳票３と、溶接条件表・タガネチェック部位指示図の帳票４と、タガネチェックシートの帳票５という各帳票を作成する。これらの全ての帳票３、４及び５は、打点マップ２の不変通し番号を引き継ぎ不変通し番号付きの工作図の帳票３、溶接条件表・タガネチェック部位指示図の帳票４と、タガネチェックシートの帳票５が作成される。
【００１８】
作成された工作図の帳票３と、溶接条件表・タガネチェック部位指示図の帳票４と、タガネチェックシートの帳票５という各帳票のそれぞれを打点マップ２と各担当者が照合することで整合性があることを確認Ｓし、整合性が確認された各帳票をパソコン上において承認する。このパソコン上の承認は、計画された全ての帳票３、４、５の作成完了と、全ての帳票３、４、５と打点マップ２との整合性に問題がないと確認したときのみ承認の実施できるように承認機能６がパソコン上に設けられている。
【００１９】
溶接打点のボデー設計情報や製造工程情報の変更は、必ず打点マップ２に対して行うことが必要である。承認機能６が、整合性の承認Ｓを行わない場合、各帳票３、４、５が発行されないので承認機能６は、全ての打点情報の新規作成及び変更に対して関所として機能している。
【００２０】
全ての帳票３，４，５が承認機能６によって承認されると、公開機能７が働き決められたパソコン上で担当者が閲覧できるように自動的に公開される。
【００２１】
この発明によれば、１設計変更当たり、１０工数掛かっていた管理工数が約３分の１の３工数に減らすことができた。
【産業上の利用可能性】
【００２２】
この発明は、自動車製造工程において車体へのスポット溶接の打点マップを指示する全ての帳票を一括管理し、承認し、公開するスポット溶接に関する帳票管理システムとして利用する。
【図面の簡単な説明】
【００２３】
【図１】この発明の実施形態であるスポット溶接に関する帳票管理システムのフローチャート
【図２】従来のスポット溶接に関する帳票管理システムのフローチャート
【符号の説明】
【００２４】
１  スポット溶接打点の設計溶接指示データ
２  打点マップ
３  工作図の帳票
４  溶接条件表・タガネチェック部位指示図の帳票
５  タガネチェックシートの帳票
６  承認機能（パソコン）
７  公開機能（パソコン）
Ｓ  整合性の確認
【図１】
2010128946.tif 000003
【図２】
2010128946.tif 000004